(57)【要約】【課題】装置の筐体のカバーを取り外して元通りに取り付けた後、装置を動作させた際に、レーザー光を発光させて正常な画質で視聴することができる映像表示装置を提供することを目的とする。【解決手段】映像表示装置である液晶テレビ２０は、液晶テレビ２０の背面側を覆うカバー３と、カバー３の開閉状態を検出する状態検出部４と、レーザー光源１０３の発光を制御する制御部６と、レーザー光源１０３の発光状態を液晶パネル１０の映像表示により通知可能な通知部とを備えている。制御部６は、状態検出部４によりカバー３の開状態が検出されたとき、レーザー光源１０３の発光を停止させ、かつ、レーザー光源１０３の発光が停止している旨を通知部に通知させる。【選択図】図１
2016142832.tif 000002
【特許請求の範囲】
【請求項１】
映像を表示する液晶パネルと、レーザー光源およびＬＥＤ光源により前記液晶パネルへの照明光を生成するバックライトとを備える映像表示装置であって、
前記映像表示装置の背面側を覆うカバーと、
前記カバーの開閉状態を検出する状態検出部と、
前記レーザー光源の発光を制御する制御部と、
前記レーザー光源の発光状態を前記液晶パネルの映像表示により通知可能な通知部と、
を備え、
前記制御部は、前記状態検出部により前記カバーの開状態が検出されたとき、前記レーザー光源の発光を停止させ、かつ、前記レーザー光源の発光が停止している旨を前記通知部に通知させる、映像表示装置。
【請求項２】
前記制御部は、前記レーザー光源の発光が停止している旨のメッセージを前記液晶パネルに表示させる、請求項１記載の映像表示装置。
【請求項３】
前記レーザー光源の発光停止に関する履歴を記憶する記憶部をさらに備え、
前記制御部は、前記記憶部に前記履歴が記憶されている場合に前記レーザー光源の発光を停止させ、かつ、前記レーザー光源の発光が停止している旨を前記通知部に通知させる、請求項１または請求項２記載の映像表示装置。
【請求項４】
前記レーザー光源の発光停止を解除するための解除指令を入力する入力部をさらに備え、
前記状態検出部により前記カバーの閉状態が検出されかつ前記入力部により前記解除指令が入力されたとき、前記制御部は、前記履歴を消去しかつ前記レーザー光源の発光停止を解除する、請求項３記載の映像表示装置。
【請求項５】
前記カバーにより背面側が覆われる前記映像表示装置のシャーシと、前記カバーの前面側に配置される突起部と、前記シャーシの背面側に配置されるスイッチとをさらに備え、
前記状態検出部は、前記突起部と前記スイッチとの位置関係に基づいて前記カバーの開閉状態を検出する、請求項１から請求項４のいずれか１つに記載の映像表示装置。
【発明の詳細な説明】
【技術分野】
【０００１】
本発明は、液晶パネルのバックライトの光源として使用されるレーザー光源を備える映像表示装置に関するものである。
【背景技術】
【０００２】
近年、映像表示装置において、半導体発光素子であるＬＥＤを備えるバックライト方式の製品以外に、特定の色の色域を拡張するために半導体レーザー発光素子であるレーザー光源を併用したバックライト方式の製品が提供されている。このレーザー光源を併用したバックライトは発光素子としてレーザーダイオードを内蔵しているため、製品を動作（バックライトを発光）させたまま筐体を開けたり、構造部品を分解したまま電源を投入したりするとレーザー光が周囲に漏洩し、多大な影響を与える。
【０００３】
そのため、従来のレーザー光源を備える映像表示装置においては、構造的に筐体が分解された状態を検出しレーザー光源の発光を停止するインターロック機能を備え、製品を分解した状態ではレーザー光源が発光しない構成としている（例えば、特許文献１参照）。
【先行技術文献】
【特許文献】
【０００４】
【特許文献１】特開２００９−１０３７７６号公報
【発明の概要】
【発明が解決しようとする課題】
【０００５】
従来の映像表示装置のインターロック機能は３つの段階を有する。第１の段階では、筐体のカバーが取り外された状態であることを検出し、筐体の開状態を検出している間はレーザー光源からのレーザー光の出射を停止させる。第２の段階では、レーザー光源の発光の停止を解除してレーザー光を出射させるために視聴者から解除コマンドが入力される。第３の段階では、解除コマンドが入力されただけではレーザー光源の発光はなされず、筐体の開状態を検出していない状態で解除コマンドが入力されるとレーザー光源にレーザー光の出射を許可する。つまり、筐体が完全に閉状態となった状態でレーザー光源の発光停止を解除するコマンドを入力することで、初めてレーザー光源の発光が再開される。
【０００６】
そのため、視聴者は、筐体を構成する構造部材を元の通り組み立ててもレーザー光源の発光を許可する解除コマンドを入力しない限り、レーザー光源が発光しない状態になる。
【０００７】
ところで、ＬＥＤ光源にレーザー光源を併用したバックライトを備える映像表示装置においては、レーザー光源が発光しない場合でもＬＥＤ光源は点灯し映像が表示される状態にある。この場合、画面はレーザー光源が発光しないために色調のずれた状態になるが、画面には映像が表示されているため、視聴者はレーザー光源が発光していないことに気付かないことがある。特に、映像表示装置の修理を行うための製品修理知識を熟知した人以外が筐体を開けた後に元の状態に戻した場合は、この保護機能が働いたことに気が付かずに色調のずれた画面のまま放置されてしまうという問題がある。
【０００８】
したがって、従来の映像表示装置は、筐体を開けた状態で製品を動作させた場合の保護機能としては満足するが、その後筐体を元に戻して動作させただけではレーザー光源が発光しないためそれを通知する必要がある。
【０００９】
そこで、本発明は、装置の筐体のカバーを取り外して元通りに取り付けた後、装置を動作させた際に、レーザー光を発光させて正常な画質で視聴することができる映像表示装置を提供することを目的とする。
【課題を解決するための手段】
【００１０】
本発明に係る映像表示装置は、映像を表示する液晶パネルと、レーザー光源およびＬＥＤ光源により前記液晶パネルへの照明光を生成するバックライトとを備える映像表示装置であって、前記映像表示装置の背面側を覆うカバーと、前記カバーの開閉状態を検出する状態検出部と、前記レーザー光源の発光を制御する制御部と、前記レーザー光源の発光状態を前記液晶パネルの映像表示により通知可能な通知部とを備え、前記制御部は、前記状態検出部により前記カバーの開状態が検出されたとき、前記レーザー光源の発光を停止させ、かつ、前記レーザー光源の発光が停止している旨を前記通知部に通知させるものである。
【発明の効果】
【００１１】
本発明によれば、制御部は、状態検出部によりカバーの開状態が検出されたとき、レーザー光源の発光を停止させ、かつ、レーザー光源の発光が停止している旨を通知部に通知させるため、カバーが取り外されて元通りに取り付けられた後、視聴者は、装置を動作させた際に、レーザー光を発光させて正常な画質で視聴することができる。
【図面の簡単な説明】
【００１２】
【図１】実施の形態に係る映像表示装置のブロック図である。
【図２】映像表示装置の背面図である。
【図３】カバーの閉状態を示す映像表示装置の断面図である。
【図４】カバーの開状態を示す映像表示装置の断面図である。
【図５】映像表示装置のバックライトの概略構造図である。
【図６】映像表示装置の保護機能の動作手順を示すフローチャートである。
【図７】保護機能が動作した場合の画面表示例を示す図である。
【発明を実施するための形態】
【００１３】
＜実施の形態＞
本発明の実施の形態について、図面を用いて以下に説明する。図１は、実施の形態に係る映像表示装置である液晶テレビ２０のブロック図であり、図２は、液晶テレビ２０の背面図であり、図３は、カバー３の閉状態を示す液晶テレビ２０の断面図であり、図４は、カバー３の開状態を示す液晶テレビ２０の断面図であり、図５は、液晶テレビ２０のバックライトの概略構造図である。なお、各図において、この発明の説明に不要な構成および部分の図示は省略している。
【００１４】
図１に示すように、液晶テレビ２０は、筐体１、シャーシ２（図３参照）、カバー３、状態検出部４、スイッチ５、制御部６、入力部７、映像信号処理部８、映像信号入力部９、液晶パネル１０、ＬＥＤ光源１０２およびレーザー光源１０３を備えている。
【００１５】
筐体１は、液晶パネル１０の周縁部を覆うとともに、ＬＥＤ光源１０２およびレーザー光源１０３により液晶パネル１０への照明光を生成するバックライトを収容している。筐体１はさらに、シャーシ２、状態検出部４、スイッチ５、制御部６、入力部７、映像信号処理部８および映像信号入力部９を収容している。
【００１６】
図２に示すように、カバー３は、筐体１の背面側に取り付けられ、液晶テレビ２０の背面側、より具体的には、液晶パネル１０およびバックライトの背面側を覆う部材である。状態検出部４、スイッチ５、制御部６、入力部７、映像信号処理部８、映像信号入力部９、ＬＥＤ光源１０２およびレーザー光源１０３は、シャーシ２に取り付けられた（固定された）状態で、筐体１内に収容されている。
【００１７】
図１に示すように、状態検出部４は、カバー３の開閉状態を検出する。制御部６は、例えば中央演算処理装置（Central Processing Unit：ＣＰＵ）で実現され、液晶テレビ２０の各部を制御する。入力部７は、レーザー光源１０３からのレーザー光の発光停止を解除するための解除指令を入力するための部材であり、例えばサービスマンによって操作される。映像信号処理部８は、映像信号入力部９から入力された映像信号を処理し、液晶パネル１０へ出力する。記憶部１１は、例えば半導体メモリで実現され、制御部６の制御プログラムと、レーザー光源１０３の発光が停止している旨の警告メッセージを示す映像情報を記憶している。記憶部１１はさらに、レーザー光源１０３の発光停止に関する履歴である保護機能の動作履歴を記憶する。
【００１８】
図５に示すように、液晶テレビ２０はさらに導光板１０１を備えている。制御部６は、ＬＥＤ光源１０２およびレーザー光源１０３を制御し、ＬＥＤ光源１０２およびレーザー光源１０３を導光板１０１のエッジに向けて発光させることで、導光板１０１を介して液晶パネル１０が発光する。液晶パネル１０は、ＬＥＤ光源１０２およびレーザー光源１０３の発光によって、映像信号処理部８から入力された映像信号に基づく映像を表示する。また、液晶パネル１０は、レーザー光源１０３の発光停止に関する保護機能が動作したとき、レーザー光源１０３の発光が停止している旨の警告メッセージを表示する。ここで、液晶パネル１０は、レーザー光源１０３の発光状態を映像表示により通知可能な通知部に相当する。
【００１９】
図２に示すように、液晶テレビ２０は、スタンド１３に固定された状態で設置され、カバー３を挿通する電源コード１４を介して商用交流電源から電力が供給される。
【００２０】
次に、状態検出部４の詳細について説明する。図３に示すように、シャーシ２は、カバー３により背面側が覆われ、シャーシ２の背面側に取り付けられた状態検出部４にはノブ５ａを有する機械的スイッチであるスイッチ５が配置されている。カバー３の前面側におけるスイッチ５に対応する位置に、スイッチ５側へ突出する突起部３ａが配置されている。状態検出部４は、突起部３ａとスイッチ５との位置関係に基づいてカバー３の開閉状態を検出する。より具体的には、カバー３が正しく取り付けられている状態では、状態検出部４は、カバー３の突起部３ａによってスイッチ５のノブ５ａが押されてスイッチ５がオンしていることを検出する。
【００２１】
また、図４で示すように、カバー３が取り外された状態では、状態検出部４は、カバー３の突起部３ａがスイッチ５のノブ５ａから離れてしまうため、スイッチ５のノブ５ａが解放されてスイッチ５がオフしていることを検出する。スイッチ５のオンオフ状態（すなわち、カバー３の開閉状態）を状態検出部４が検出して制御部６に伝達することによって、制御部６は、筐体１に取り付けられたカバー３の開閉状態を認識することができる。
【００２２】
状態検出部４は、電源が投入された際にスイッチ５によってカバー３の開閉状態を検出し、カバー３が正しく取り付けられている場合、制御部６はＬＥＤ光源１０２およびレーザー光源１０３を発光させる。一方、カバー３が取り外されている場合、制御部６はＬＥＤ光源１０２を発光させるとともに、レーザー光源１０３からのレーザー光の発光を停止させ、さらに、保護機能の動作履歴を記憶部１１に記憶させる。
【００２３】
一度カバー３が取り外された状態で液晶テレビ２０の電源が投入された場合に、保護機能の動作履歴が記憶部１１に記憶されているとき、カバー３が取り付けられて、電源が入れ直されたとしても、制御部６はレーザー光源１０３の発光を行わず、レーザー光は出射されない。ただし、この状態ではＬＥＤ光源１０２は発光するため、液晶パネル１０の画面には色度のずれた映像が表示され、同時に、レーザー光源１０３の発光が停止している旨を通知するための警告メッセージを液晶パネル１０に表示させる。
【００２４】
入力部７から、レーザー光源１０３の発光停止を解除するための解除指令が入力されると、制御部６は、カバー３が閉状態であることを確認してレーザー光源１０３の発光停止の保護機能を解除し、レーザー光源１０３を発光させる。
【００２５】
次に、図６を用いて、液晶テレビ２０の保護機能の動作を詳細に説明する。図６は、液晶テレビ２０の保護機能の動作手順を示すフローチャートである。
【００２６】
液晶テレビ２０の電源が投入されるとこの動作が開始され、制御部６は、記憶部１１に保護機能の動作履歴がないかどうかを判定する（ステップＳ１）。履歴がない場合（ステップＳ１においてＹｅｓ）、制御部６は、状態検出部４の検出結果に基づいて、スイッチ５がオンされているかどうか、すなわち、カバー３が正しく取り付けられているかどうかを判定する（ステップＳ２）。カバー３が正しく取り付けられている場合（ステップＳ２においてＹｅｓ）、制御部６はＬＥＤ光源１０２およびレーザー光源１０３を発光させた後（ステップＳ８）、処理はステップＳ１へ戻る。
【００２７】
保護機能の動作履歴がある場合（ステップＳ１においてＮｏ）、または、カバー３が正しく取り付けられていない（すなわち、カバー３が取り外されている）場合（ステップＳ２においてＮｏ）、制御部６は、保護機能を動作させる。より具体的には、制御部６は、ＬＥＤ光源１０２を発光させるとともにレーザー光源１０３の発光を停止させる（ステップＳ３）。次に、制御部６は、保護機能が動作したこと（動作履歴）を記憶部１１に記憶させる。すなわち、記憶部１１において保護機能の動作履歴がありに変更される（ステップＳ４）。
【００２８】
次に、図７に示すように、制御部６は、レーザー光源１０３の発光が停止している旨の警告メッセージを液晶パネル１０の画面に表示させる（ステップＳ５）。図７は、保護機能が動作した場合の画面表示例を示す図である。なお、液晶パネル１０の映像表示は、警告メッセージに限定されることなく、液晶パネル１０は、例えば、特定の図形を表示させたり、特定の背景色を表示させたりしてもよい。
【００２９】
例えばサービスマンによって、入力部７からレーザー光源１０３の発光停止を解除するための解除指令が入力されると（ステップＳ６においてＹｅｓ）、制御部６は、カバー３が閉状態であると認識して保護機能の動作履歴を消去し（ステップＳ７）、レーザー光源１０３の発光停止を解除する。ここでは、液晶テレビ２０の電源が投入されているため、制御部６は、レーザー光源１０３を発光させた後（ステップＳ８）、処理はステップＳ１へ戻る。
【００３０】
このように、液晶テレビ２０の視聴者は、図７の画面に表示される警告メッセージを確認後に修理を依頼すると、サービスマンが視聴者を訪問する。サービスマンは、液晶テレビ２０の内部構造が筐体１とシャーシ２によって適切に保持され、カバー３が正しく取り付けられて外部にレーザー光が漏洩する心配がないことを確認した後、レーザー光源１０３の発光停止の保護機能を解除することで、レーザー光源１０３が発光する。これにより、視聴者は、正常な画質の映像を視聴することができるようになる。
【００３１】
以上のように、実施の形態に係る液晶テレビ２０では、制御部６は、状態検出部４によりカバー３の開状態が検出されたとき、レーザー光源１０３の発光を停止させ、かつ、レーザー光源１０３の発光が停止している旨を通知部に通知させるため、上記のように、カバー３が取り外されて元通りに取り付けられた後、視聴者は、液晶テレビ２０を動作させた際に、レーザー光を発光させて正常な画質で視聴することができる。
【００３２】
制御部６は、レーザー光源１０３の発光が停止している旨の警告メッセージを液晶パネル１０に表示させるため、視聴者に警告メッセージにより確実に注意を促すことができる。
【００３３】
液晶テレビ２０は、レーザー光源１０３の発光停止に関する履歴を記憶する記憶部１１をさらに備え、制御部６は、記憶部１１に履歴が記憶されている場合にレーザー光源１０３の発光を停止させ、かつ、レーザー光源１０３の発光が停止している旨を液晶パネル１０に通知させる。したがって、レーザー光源１０３の発光停止がなされた場合はその後、視聴者がカバー３を取り付けたとしてもレーザー光源１０３の発光が停止したままであるため、レーザー光が周囲に漏洩することを防止でき、製品の安全性の向上を図ることが可能となる。
【００３４】
レーザー光源１０３の発光停止を解除するための解除指令を入力する入力部７をさらに備え、状態検出部４によりカバー３の閉状態が検出されかつ入力部７により解除指令が入力されたとき、制御部６は、履歴を消去しかつレーザー光源１０３の発光停止を解除する。したがって、レーザー光源１０３の発光停止がなされた場合、サービスマンが安全確認を行った後、解除指令が入力されたときのみ、レーザー光源１０３を発光させることができ、製品の安全性の向上を図ることが可能となる。
【００３５】
液晶テレビ２０は、カバー３により背面側が覆われる液晶テレビ２０のシャーシ２と、カバー３の前面側に配置される突起部３ａと、シャーシ２の背面側に配置されるスイッチ５とをさらに備え、状態検出部４は、突起部３ａとスイッチ５との位置関係に基づいてカバー３の開閉状態を検出する。したがって、カバー３の開閉状態の検出を簡単な構成で行うことができる。
【００３６】
なお、実施の形態では、カバー３の開閉状態を物理的にスイッチ５によって検出し、制御部６によってレーザー光源１０３を制御するように構成したが、カバー３の開閉状態は、物理的なスイッチに限らず、光学的なセンサー、または電気的な通電を利用して検出してもよい。
【００３７】
なお、本発明は、その発明の範囲内において、実施の形態を適宜、変形、省略することが可能である。
【符号の説明】
【００３８】
２  シャーシ、３  カバー、３ａ  突起部、４  状態検出部、５  スイッチ、６  制御部、７  入力部、１０  液晶パネル、１１  記憶部、２０  液晶テレビ、１０２  ＬＥＤ光源、１０３  レーザー光源。
【図１】
2016142832.tif 000003
【図２】
2016142832.tif 000004
【図３】
2016142832.tif 000005
【図４】
2016142832.tif 000006
【図５】
2016142832.tif 000007
【図６】
2016142832.tif 000008
【図７】
2016142832.tif 000009